(57)【要約】【課題】複数のディスプレイによる表示をより有効に活用する。【解決手段】コンテンツを取得するコンテンツ取得部と、上記コンテンツを表示する第１の表示部と、上記コンテンツに関連するプロモーション情報を取得するプロモーション情報取得部と、上記プロモーション情報を表示する第２の表示部とを備える情報処理装置が提供される。【選択図】図２
2013080713.tif 000002
【特許請求の範囲】
【請求項１】
コンテンツを取得するコンテンツ取得部と、
前記コンテンツを表示する第１の表示部と、
前記コンテンツに関連するプロモーション情報を取得するプロモーション情報取得部と、
前記プロモーション情報を表示する第２の表示部と
を備える情報処理装置。
【請求項２】
前記コンテンツ取得部は、さらに、前記コンテンツに付随するメタ情報を取得し、
前記プロモーション情報取得部は、前記メタ情報に従って前記プロモーション情報を取得する、請求項１に記載の情報処理装置。
【請求項３】
前記プロモーション情報は、広告情報であり、
前記メタ情報は、前記広告情報の取得元を指定する第１のメタ情報を含み、
前記プロモーション情報取得部は、前記第１のメタ情報に従って前記取得元から前記広告情報を取得する、請求項２に記載の情報処理装置。
【請求項４】
前記プロモーション情報は、広告情報であり、
前記メタ情報は、前記広告情報の自由検索を許容する第２のメタ情報を含み、
前記プロモーション情報取得部は、前記第２のメタ情報に従って前記コンテンツの内容に基づいて前記広告情報を検索する、請求項２に記載の情報処理装置。
【請求項５】
前記第１の表示部および前記第２の表示部は、前記情報処理装置のユーザに向けて配置される、請求項１に記載の情報処理装置。
【請求項６】
前記第１の表示部は、前記情報処理装置のユーザに向けて配置され、
前記第２の表示部は、前記情報処理装置のユーザの周囲の他のユーザに向けて配置される、請求項１に記載の情報処理装置。
【請求項７】
前記プロモーション情報は、前記コンテンツを表す情報である、請求項６に記載の情報処理装置。
【請求項８】
前記コンテンツは、電子書籍であり、
前記プロモーション情報は、前記電子書籍の表紙画像である、請求項７に記載の情報処理装置。
【請求項９】
前記コンテンツは、顧客データであり、
前記プロモーション情報は、前記顧客を識別する情報である、請求項７に記載の情報処理装置。
【請求項１０】
前記第２の表示部は、前記第１の表示部よりも消費電力が少ない方式の表示部である、請求項１に記載の情報処理装置。
【請求項１１】
コンテンツを取得する機能と、
前記コンテンツを第１の表示部に表示させる機能と、
前記コンテンツに関連するプロモーション情報を取得する機能と、
前記プロモーション情報を第２の表示部に表示させる機能と
をコンピュータに実現させるプログラム。
【請求項１２】
前記コンテンツを取得する機能は、さらに、前記コンテンツに付随するメタ情報を取得し、
前記プロモーション情報を取得する機能は、前記メタ情報に従って前記プロモーション情報を取得する、請求項１１に記載のプログラム。
【請求項１３】
前記プロモーション情報は、広告情報であり、
前記メタ情報は、前記広告情報の取得元を指定する第１のメタ情報を含み、
前記プロモーション情報を取得する機能は、前記第１のメタ情報に従って前記取得元から前記広告情報を取得する、請求項１２に記載のプログラム。
【請求項１４】
前記プロモーション情報は、広告情報であり、
前記メタ情報は、前記広告情報の自由検索を許容する第２のメタ情報を含み、
前記プロモーション情報を取得する機能は、前記第２のメタ情報に従って前記コンテンツの内容に基づいて前記広告情報を検索する、請求項１２に記載のプログラム。
【発明の詳細な説明】
【技術分野】
【０００１】
本開示は、情報処理装置およびプログラムに関し、より詳しくは、複数のディスプレイを制御する情報処理装置およびプログラムに関する。
【背景技術】
【０００２】
近年、複数のディスプレイを有する情報処理装置が普及している。例えば、携帯型の情報処理装置では、折りたたみ式の筐体の内側の面にそれぞれディスプレイを配置して、装置の携帯性を確保しつつ表示可能な情報量を増加させたものがある。特許文献１には、このような情報処理装置において、２つの表示部の表示を連動させる技術が開示されている。
【先行技術文献】
【特許文献】
【０００３】
【特許文献１】特開２０１１−０５３７９０号公報
【発明の概要】
【発明が解決しようとする課題】
【０００４】
しかしながら、上記のような技術によっても、情報処理装置の複数のディスプレイの活用にはなおも改善の余地があった。【０００５】
そこで、本開示では、複数のディスプレイによる表示をより有効に活用することが可能な、新規かつ改良された情報処理装置およびプログラムを提案する。
【課題を解決するための手段】
【０００６】
本開示によれば、コンテンツを取得するコンテンツ取得部と、上記コンテンツを表示する第１の表示部と、上記コンテンツに関連するプロモーション情報を取得するプロモーション情報取得部と、上記プロモーション情報を表示する第２の表示部とを備える情報処理装置が提供される。【０００７】
また、本開示によれば、コンテンツを取得する機能と、上記コンテンツを第１の表示部に表示させる機能と、上記コンテンツに関連するプロモーション情報を取得する機能と、上記プロモーション情報を第２の表示部に表示させる機能とをコンピュータに実現させるプログラムが提供される。【０００８】
ここで、本開示におけるプロモーション情報は、例えば、広告情報、表紙画像、ラベル情報などのように、何かをプロモートする情報を意味する。後述するように、例えば広告情報は、商品等をプロモートする。表紙画像は、ユーザ自身をプロモートする。ラベル情報は、コンテンツをプロモートする。【０００９】
本開示によれば、コンテンツに関連するプロモーション情報が取得され、それがコンテンツが表示される第１の表示部とは異なる第２の表示部に表示される。
【発明の効果】
【００１０】
以上説明したように本開示によれば、複数のディスプレイによる表示をより有効に活用することができる。
【図面の簡単な説明】
【００１１】
【図１】本開示の第１の実施形態に係る情報処理装置の機能構成を示すブロック図である。
【図２】本開示の第１の実施形態に係る情報処理装置の第１の表示例を示す図である。
【図３】本開示の第１の実施形態に係る情報処理装置の第２の表示例を示す図である。
【図４】本開示の第１の実施形態におけるメタ情報の例を示す図である。
【図５】本開示の第１の実施形態に係る情報処理装置の処理フローの例を示す図である。
【図６】本開示の第２の実施形態に係る情報処理装置の第１の表示例を示す図である。
【図７】本開示の第２の実施形態に係る情報処理装置の第２の表示例を示す図である。
【図８】本開示の第３の実施形態に係る情報処理装置の機能構成を示すブロック図である。
【図９】本開示の第３の実施形態に係る情報処理装置の表示例を示す図である。
【図１０】情報処理装置のハードウェア構成を説明するためのブロック図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．第１の実施形態（広告情報の例）
２．第２の実施形態（広告情報または表紙画像の例）
３．第３の実施形態（ラベル情報の例）
４．補足
【００１４】
（１．第１の実施形態）
まず、図１〜図５を参照して、本開示の第１の実施形態について説明する。図１は、本開示の第１の実施形態に係る情報処理装置の機能構成を示すブロック図である。図２は、本開示の第１の実施形態に係る情報処理装置の第１の表示例を示す図である。図３は、本開示の第１の実施形態に係る情報処理装置の第２の表示例を示す図である。図４は、本開示の第１の実施形態におけるメタ情報の例を示す図である。図５は、本開示の第１の実施形態に係る情報処理装置の処理フローの例を示す図である。
【００１５】
（機能構成）
図１を参照すると、本開示の第１の実施形態に係る情報処理装置１００は、コンテンツ取得部１１０と、第１の表示部１２０と、情報取得部１３０と、第２の表示部１４０とを含む。情報処理装置１００は、例えば、タブレット型、ノート型、デスクトップ型などのＰＣ、携帯電話、スマートフォン、ＰＤＡ（Personal  Digital  Assistant）、各種メディアプレーヤなどの端末装置でありうる。
【００１６】
コンテンツ取得部１１０は、例えばＣＰＵ（Central  Processing  Unit）、ＲＡＭ（Random  Access  Memory）、ＲＯＭ（Read  Only  Memory）などによって実現され、コンテンツを取得する。本実施形態において、コンテンツは電子書籍である。従って、コンテンツ取得部１１０は、電子書籍のデータを、例えばサーバからネットワークを介して取得する。コンテンツには、後述するようにメタ情報が付随していて、コンテンツ取得部１１０はこのメタ情報をコンテンツとともに取得してもよい。なお、本開示におけるコンテンツは、電子書籍には限られず、動画コンテンツなど、ディスプレイに表示することが可能なその他のコンテンツであってもよい。また、本実施形態における電子書籍に、動画が埋め込まれていてもよい。第１の表示部１２０は、コンテンツ取得部１１０が取得したコンテンツを表示するディスプレイである。
【００１７】
情報取得部１３０は、例えばＣＰＵ、ＲＡＭ、ＲＯＭなどによって実現され、コンテンツ取得部１１０が取得したコンテンツに関連する広告情報を取得する。広告情報は、商品等をプロモートする情報であり、本技術におけるプロモーション情報の一例である。情報取得部１３０は、例えば、コンテンツ取得部１１０がコンテンツとともに取得したメタ情報に従って広告情報を取得する。後述するように、メタ情報は、例えば、広告情報の取得元を指定する情報であってもよい。また、情報取得部１３０は、コンテンツ取得部１１０が取得したコンテンツの内容を解析し、コンテンツの内容に基づいて広告情報を検索してもよい。さらに、上記のメタ情報によって、広告情報を指定された取得元から取得するか、コンテンツの内容に基づいて検索するかが指定されてもよい。第２の表示部１４０は、情報取得部１３０が取得した広告情報を表示するディスプレイである。
【００１８】
（表示例）
図２および図３を参照すると、情報処理装置１００は、折りたたみ式の筐体を有し、筐体の内側にあたる面にそれぞれディスプレイが配置されている。これらのディスプレイは、一方が第１の表示部１２０、他方が第２の表示部１４０として用いられる。つまり、第１の表示部１２０および第２の表示部１４０は、いずれも、情報処理装置１００のユーザに向けて配置される。以下の説明では、第２の表示部１４０の表示が異なる２つの表示例について説明する。
【００１９】
図２の例において、第１の表示部１２０には、コンテンツ１２０１が表示されている。上述のように、本実施形態において、コンテンツは電子書籍である。従って、コンテンツ１２０１は、電子書籍のテキストである。一方、第２の表示部１４０には、指定広告情報１４０１が表示されている。
【００２０】
ここで、指定広告情報１４０１は、例えば、情報取得部１３０が、コンテンツ取得部１１０がコンテンツとともに取得したメタ情報によって指定される取得元から広告情報を取得することによって取得される。上記の例において、メタ情報によって指定される取得元は、例えば電子書籍を出版する出版社のサーバである。この場合、情報取得部１３０は、ネットワークを介して出版社のサーバにアクセスし、指定広告情報１４０１を取得する。
【００２１】
なお、指定広告情報１４０１自体を、メタ情報としてコンテンツに付随させることも可能であるが、上記のように情報取得部１３０が取得元にアクセスすることによって、例えば最新の広告情報を取得して指定広告情報１４０１として表示することができる。かかる構成は、例えば、電子書籍のコンテンツ１２０１がダウンロードされた後に情報処理装置１００のストレージに格納され、時間が経ってから読まれるような場合、つまり、コンテンツが必ずしもリアルタイムでダウンロードされるものではない場合などに有効である。
【００２２】
また、指定広告情報１４０１の取得にあたっては、例えばユーザの所在地やユーザの年齢や性別などの属性が考慮されてもよい。例えば、情報処理装置１００がＧＰＳ（Global  Positioning  System）受信機などの位置センサを有する場合、情報取得部１３０は、メタ情報によって指定された地域ごとの取得元の中から、ユーザの位置に対応する地域の取得元を選択し、そこから広告情報を取得してもよい。また、情報処理装置１００にユーザの属性の情報が登録されている場合、情報取得部１３０は、この属性の情報を参照し、メタ情報によって指定された属性ごとの取得元の中から、ユーザの属性に対応する属性の取得元を選択し、そこから広告情報を取得してもよい。
【００２３】
図３の例において、第１の表示部１２０には、図２の例と同様にコンテンツ１２０１が表示されている。一方、第２の表示部１４０には、フリー広告情報１４０３が表示されている。図示された例において、フリー広告情報１４０３は、コンテンツ１２０１として表示される電子書籍のテキストに含まれる単語“特許”に関連する広告情報である。
【００２４】
ここで、フリー広告情報１４０３は、例えば、情報取得部１３０が、コンテンツの内容、ここでは電子書籍のテキストを解析し、解析の結果抽出されたキーワード“特許”を用いてネットワーク上にある広告情報を検索することによって取得される。検索の対象になる広告情報は、例えば所定のサーバに登録された広告情報に限定されてもよい。
【００２５】
（小括）
上記の例のように、情報処理装置のディスプレイにコンテンツと広告情報とを表示する場合、例えば同じディスプレイに両方を表示すると、例えばコンテンツの余白部分に広告情報が割り込む形になる。この場合、広告情報がコンテンツの視認の邪魔になり、ユーザは不快感を覚える場合もある。また、スペースの制約のために、広告情報として十分な量の情報を表示しきれない場合もある。従って、広告情報による効果が十分に現れない場合もあった。
【００２６】
そこで、情報処理装置１００では、２つのディスプレイのうち、一方を第１の表示部１２０として用いてコンテンツ１２０１を表示し、他方を第２の表示部１４０として用いて指定広告情報１４０１やフリー広告情報１４０３を表示する。このように、コンテンツを表示する表示部と広告を表示する表示部とを分離することによって、コンテンツを視認しやすくするとともに、広告情報として表示される情報量も増加させることが可能である。従って、情報処理装置１００では、コンテンツを利用するユーザの快適性と、広告の効果とを両立させることができる。
【００２７】
（表示制御の例）
図４には、上記の図２および図３の例のように、情報処理装置１００の第２の表示部１４０に指定広告情報１４０１とフリー広告情報１４０３とを切り替えて表示させる場合に、コンテンツ１２０１に付随するメタ情報１２０３の例が示されている。
【００２８】
上記のように、情報処理装置１００の情報取得部１３０は、コンテンツ取得部１１０がコンテンツとともに取得したメタ情報に従って広告情報を取得しうる。図示された例では、このメタ情報１２０３が、コンテンツである電子書籍のページごとに設定されている。より具体的には、電子書籍の１ページ〜９ページ、および２０ページ〜２９ページには、指定広告情報１４０１を取得するための取得元を指定する第１のメタ情報１２０３ａが、１０ページ〜１９ページ、および３０ページ〜４０ページには、フリー広告情報１４０３を表示することを許容する第２のメタ情報１２０３ｂが付随している。
【００２９】
上記のようなメタ情報１２０３に従って、情報取得部１３０は、コンテンツ１２０１として電子書籍の１ページ〜９ページ、または２０ページ〜２９ページが表示されている場合には、第１のメタ情報１２０３ａによって指定される取得元から指定広告情報１４０１を取得する。また、情報取得部１３０は、コンテンツ１２０１として電子書籍の１０ページ〜１９ページ、または３０ページ〜４０ページが表示されている場合には、第２のメタ情報１２０３ｂに従ってフリー広告情報１４０３を検索する。
【００３０】
このように、メタ情報１２０３は、指定広告情報１４０１を取得するための取得先などの情報を示すだけではなく、情報取得部１３０がどのようにして広告情報を取得するかを示す情報を含んでもよい。このようにすることで、例えば、電子書籍を提供する出版社は、第１のメタ情報１２０３ａを設定したページでは自社の広告を指定広告情報１４０１として表示させる一方で、第２のメタ情報１２０３ｂを設定したページではフリー広告情報１４０３、つまり他の事業者の広告情報を表示させ、広告情報を表示した事業者から広告料を受け取ってもよい（例えばテレビジョン放送のコマーシャル部分のように）。
【００３１】
図５には、上記のような広告情報の表示をする場合の、情報取得部１３０の処理の例を示すフローチャートが示されている。
【００３２】
まず、情報取得部１３０は、コンテンツ取得部１１０がコンテンツ１２０１とともに取得したメタ情報１２０３を取得する（ステップＳ１０１）。ここで、情報取得部１３０は、メタ情報１２０３によって広告情報の取得元が指定されているか否かを判定する（ステップＳ１０３）。
【００３３】
メタ情報１２０３によって広告情報の取得元が指定されている場合、情報取得部１３０は、指定された取得元から広告情報を取得し（ステップＳ１０５）、広告情報を表示する（ステップＳ１０９）。この場合、第２の表示部１４０に表示されるのは、指定広告情報１４０１である。
【００３４】
一方、メタ情報１２０３によって広告情報の取得元が指定されていない場合、情報取得部１３０は、コンテンツ１２０１の内容に基づいて広告情報を検索し（ステップＳ１０７）、検索の結果取得された広告情報を表示する（ステップＳ１０９）。この場合、第２の表示部１４０に表示されるのは、フリー広告情報１４０３である。
【００３５】
（補足）
以上、本開示の第１の実施形態として、２つのディスプレイがユーザに向けて配置される情報処理装置で、一方のディスプレイを第１の表示部、他方のディスプレイを第２の表示部として利用する例について説明した。
【００３６】
ここで、第２の表示部によって表示される広告情報は、情報取得部によって取得される。第２の表示部は、例えば、コンテンツに付随されるメタ情報によって指定される取得元から広告情報を取得するか、または、コンテンツの内容に基づいて広告情報を検索して取得する。
【００３７】
上記の例では、第２の表示部が、コンテンツに付随されるメタ情報に従って、広告情報を指定された取得元から取得するか、コンテンツの内容に基づいて検索するかを判定した。しかし、本技術はこの例には限られず、例えば、指定広告情報またはフリー広告情報のいずれかがコンテンツの全体で表示されてもよい。コンテンツの全体でフリー広告情報が表示される場合、コンテンツには広告情報に関するメタ情報が付随していなくてもよい。
【００３８】
また、フリー広告情報の検索の対象になる広告情報は、例えば所定のサーバに登録された広告情報に限定されてもよい。この場合、上記のように、出版社がサーバへの広告情報の登録に関与し、広告情報を登録する事業者から広告料を受け取ってもよい。また、別の例として、情報処理装置の製造者がサーバへの広告情報の登録に関与し、広告情報を登録する事業者から広告料を受け取ってもよい。この場合、製造者は、広告料を情報処理装置の価格としてユーザに還元してもよい。
【００３９】
（２．第２の実施形態）
続いて、図６および図７を参照して、本開示の第２の実施形態について説明する。図６は、本開示の第２の実施形態に係る情報処理装置の第１の表示例を示す図である。図７は、本開示の第２の実施形態に係る情報処理装置の第２の表示例を示す図である。
【００４０】
この第２の実施形態は、情報処理装置のディスプレイのうち、１つがユーザに向けて配置され、もう１つが周囲の他のユーザに向けて配置される点で、上記の第１の実施形態とは異なる。それ以外の点については、第２の実施形態と第１の実施形態とは同様であるため、詳細な説明を省略する。
【００４１】
（表示例）
図６および図７を参照すると、情報処理装置２００は、タブレット状の筐体を有し、その両面にそれぞれディスプレイが配置されている。これらのディスプレイは、ユーザに対向する面に配置される方が第１の表示部１２０、その背面に配置される方が第２の表示部１４０として用いられる。以下の説明では、第２の表示部１４０の表示が異なる２つの表示例について説明する。
【００４２】
図６の例において、第１の表示部１２０には、コンテンツ１２０１が表示されている。本実施形態でも、上記の第１の実施形態と同様に、コンテンツは電子書籍である。従って、コンテンツ１２０１は、電子書籍のテキストである。一方、第２の表示部１４０には、指定広告情報１４０１が表示されている。
【００４３】
ここで、指定広告情報１４０１は、上記の第１の実施形態と同様にして取得される広告情報である。本実施形態では、第２の表示部１４０が周囲のユーザに向けて配置されるため、例えば指定広告情報１４０１に、事業者のＷｅｂサイトなどにアクセスするための２次元コード１４０５などのマーカが表示されてもよい。
【００４４】
この場合、２次元コード１４０５は、サイトなどのアクセス先の情報だけではなく、広告情報を表示したユーザを特定する情報をも含み、どのユーザが表示した広告情報からサイトなどへのアクセスがされたかが識別可能であってもよい。これによって、例えば、サイトにアクセスしたユーザと、アクセスの元になった広告情報を表示したユーザとに、ポイントサービスのポイントなどが付与されてもよい。
【００４５】
また、第２の表示部１４０には、同様にしてフリー広告情報１４０３が表示されてもよい。
【００４６】
図７の例において、第１の表示部１２０には、図６の例と同様にコンテンツ１２０１が表示されている。なお、図示されているように、電子書籍のコンテンツ１２０１は、テキストだけでなく写真などの画像を含んでもよい。一方、第２の表示部１４０には、電子書籍の表紙画像１４０７が表示されている。表紙画像１４０７は、ユーザがコンテンツ１２０１として読んでいる電子書籍を周囲の他のユーザに向けてアピールすることでユーザ自身をプロモートするための情報であり、本技術におけるプロモーション情報の一例である。また、表紙画像１４０７は、その電子書籍が読まれていることを周囲の他のユーザが認識して当該電子書籍の販売が促進されうるという意味では、広告情報ともいえる。
【００４７】
ここで、表紙画像１４０７は、例えば、コンテンツ取得部１１０によってコンテンツ１２０１とともに取得されるメタ情報に画像データとして含まれていてもよい。表紙画像１４０７は、メタ情報によって指定される取得元から取得されてもよい。また、表紙画像１４０７は、コンテンツ１２０１の最初のページであり、それがコンテンツ１２０１が他のページに進行した後にも引き続き表示されるものであってもよい。
【００４８】
（補足）
以上、本開示の第２の実施形態として、２つのディスプレイがそれぞれユーザ側と周囲の他のユーザ側とに配置される情報処理装置で、一方のディスプレイを第１の表示部、他方のディスプレイを第２の表示部として利用する例について説明した。
【００４９】
ここで、第２の表示部に表示される情報は、第１の実施形態と同様の広告情報であってもよい。ただし、本実施形態では、第２の表示部に表示される情報が周囲の他のユーザに向けて表示されるため、広告情報を表示する対象が第１の実施形態とは異なる。
【００５０】
また、第２の表示部には、電子書籍であるコンテンツの表紙画像が表示されてもよい。これによって、ユーザは、自分が読んでいる電子書籍をさりげなく周囲の他のユーザにアピールすることができる（例えば、ビジネスマンが経済誌を読む場合など）。これは、電子書籍では失われがちな、ユーザが慣れ親しんだ紙媒体の書籍のような感覚を補う機能ともいえる。
【００５１】
（他の例）
上記の例以外にも、第２の表示部が周囲のユーザに向けて配置される情報処理装置では、様々な実施形態が可能である。なお、以下の例では、第１の表示部を主表示部、第２の表示部を背面表示部ともいう。
【００５２】
例えば、主表示部と背面表示部とには、連動した画像が表示されてもよい。一例として、情報処理装置は、主表示部にユーザの使用言語（例えば日本語）のテキストを表示し、背面表示部に当該テキストに対応する他の言語（例えば英語）のテキストを表示してもよい。この場合、主表示部でのタッチパネルまたはマウスなどによる操作に対応した表示が、背面表示部でされてもよい。上記の例では、主表示部の日本語のテキストのある部分をユーザがタッチパネルなどによる操作で選択した場合に、背面表示部の英語のテキストのうち主表示部で選択されたテキストに対応する部分がハイライトして表示されてもよい。
【００５３】
また、上記の２次元コードの表示に類する例として、背面表示部には、マーカなしの画像認識によって認識可能な何らかの画像が表示されてもよい。他のユーザの情報処理装置でこの画像が認識されると、所定のサーバに情報が送信され、画像を認識した他のユーザと画像を表示したユーザとを特定することが可能であってもよい。この場合も、上記のように、他のユーザおよびユーザの両方または一方にポイントサービスのポイントなどを付与してもよい。また、これらの場合、マーカまたは画像が実際に他の情報処理装置によって認識されなくても、例えばＧＰＳ、カメラ、タッチセンサ、筐体が折りたたみ式である場合にはその開閉状態などによって、背面表示部に表示された画像が外部から視認可能であったか否かを判定し、視認可能な状態である場合にユーザにポイントを付与してもよい。
【００５４】
マーカまたは画像の認識によってユーザを特定する例において、マーカまたは画像を収集の対象とし、例えば所定の数のマーカまたは画像を情報処理装置を用いて認識したユーザに、ポイントサービスのポイントなどを付与してもよい。この場合、例えば、移動する他のユーザを収集の対象としたスタンプラリーのようなイベントを開催することができる。
【００５５】
さらに、ポイントの付与にユーザの位置情報を条件として追加してもよい。例えば、特定の時間に特定の場所で、他のユーザの情報処理装置に表示されるマーカまたは画像を所定の数収集したユーザにポイントを付与するという条件を設定してもよい。この場合、例えば、“日曜日の午後に銀座で”というような条件を設定することにより、対象になる時間および場所に多数のユーザが集合し、彼らが所持している背面表示部に同じような画像が表示された情報処理装置によって、さらなる広告効果を得ることもできる。
【００５６】
（３．第３の実施形態）
続いて、図８および図９を参照して、本開示の第３の実施形態について説明する。図８は、本開示の第３の実施形態に係る情報処理装置の機能構成を示すブロック図である。図９は、本開示の第３の実施形態に係る情報処理装置の表示例を示す図である。
【００５７】
（機能構成）
図８を参照すると、本開示の第３の実施形態に係る情報処理装置３００は、コンテンツ取得部１１０と、第１の表示部１２０と、背面ラベル取得部３３０と、第２の表示部３４０とを含む。情報処理装置３００は、上記の第１の実施形態に係る情報処理装置１００と同様の情報処理装置であるが、背面ラベル取得部３３０、および第２の表示部３４０の機能構成について相違する。
【００５８】
背面ラベル取得部３３０は、例えばＣＰＵ、ＲＡＭ、ＲＯＭなどによって実現され、コンテンツ取得部１１０が取得したコンテンツに基づいて背面ラベル情報を設定する。背面ラベル情報は、コンテンツを識別するためのラベルとして表示される情報であり、本技術におけるプロモーション情報の一例である。背面ラベル取得部３３０は、例えば、コンテンツ取得部１１０がコンテンツとともに取得したメタ情報に含まれる背面ラベル情報を取得する。また、背面ラベル取得部３３０は、コンテンツの特定の部分を背面ラベル情報として抽出してもよい。第２の表示部３４０は、背面ラベル取得部３３０が取得した背面ラベル情報を表示するディスプレイである。
【００５９】
（表示例）
図９を参照すると、情報処理装置３００は、タブレット型の筐体を有し、その両面にそれぞれディスプレイが配置されている。これらのディスプレイは、これらのディスプレイは、ユーザに対向する面に配置される方が第１の表示部１２０、その背面に配置される方が第２の表示部３４０として用いられる。上記の第２の実施形態に係る情報処理装置２００との相違として、第２の表示部３４０は、第１の表示部１２０よりも小さいディスプレイであってもよい。
【００６０】
図９の例において、第１の表示部１２０には、コンテンツとして顧客データ３２０１が表示されている。本実施形態において、コンテンツは顧客データである。情報処理装置３００は、所定の期間、ある顧客に割り当てられ、当該顧客の顧客データを表示したり編集したりするために用いられる端末装置でありうる。一方、第２の表示部３４０には、背面ラベル情報３４０１が表示されている。
【００６１】
ここで、背面ラベル情報３４０１は、背面ラベル取得部３３０によって取得される。図示された例では、コンテンツである顧客データ３２０１の“○○  ○○様”という顧客名の部分が、背面ラベル情報３４０１として表示されている。この背面ラベル情報３４０１によって、ユーザは、例えば情報処理装置３００に表示される顧客データ３２０１の対象になる顧客を識別することができる。
【００６２】
ここで、第２の表示部３４０には、例えば電子ペーパなどの、第１の表示部１２０よりも消費電力が少ない方式が採用されてもよい。この場合、第１の表示部１２０での表示がされていない場合、つまり情報処理装置３００が使用されていない場合にも、継続して第２の表示部３４０に背面ラベル情報３４０１を表示することが可能である。これによって、ユーザは、情報処理装置３００の使用を開始しようとする場合に、第１の表示部１２０での表示をしなくても、情報処理装置３００が割り当てられている顧客を識別することができる。
【００６３】
上記の例と同様にして、例えば、第１の表示部に表示されるコンテンツが電子書籍である場合に、第２の表示部に当該電子書籍の背表紙にあたる情報を表示してもよい。これによって、例えば、複数の電子書籍を複数のリーダ端末にそれぞれ保持している場合に、どの端末にどの電子書籍が保持されているかを容易に識別することができる。なお、第２の表示部に表示される情報は、リーダ端末に保持されている電子書籍のジャンルを示す情報など、必ずしもコンテンツと１対１に対応する情報でなくてもよい。
【００６４】
（４．補足）
（ハードウェア構成）
続いて、図１０を参照して、本開示の実施形態に係る情報処理装置を実現しうる情報処理装置９００のハードウェア構成について説明する。図１０は、情報処理装置のハードウェア構成を説明するためのブロック図である。
【００６５】
情報処理装置９００は、ＣＰＵ９０１、ＲＯＭ９０３、およびＲＡＭ９０５を含む。さらに、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、および通信装置９２５を含んでもよい。
【００６６】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００６７】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００６８】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【００６９】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【００７０】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００７１】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（High-Definition  Multimedia  Interface）ポートなどであってもよい。接続ポート９２３に外部接続機器９２９を接続することで、情報処理装置９００と外部接続機器９２９との間で各種のデータが交換されうる。
【００７２】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【００７３】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００７４】
（備考）
上記の説明では、情報処理装置が折りたたみ型またはタブレット型である実施形態について説明した。しかし、上述したように、ユーザ端末は、ノート型、デスクトップ型などのＰＣ、携帯電話、スマートフォン、ＰＤＡ、各種メディアプレーヤなど、ユーザにコンテンツを提供することが可能であり、複数のディスプレイを有する各種の装置でありうる。情報処理装置が有するディスプレイも、２つには限られず、３つ以上であってもよい。例えば、情報処理装置は、ユーザに向けて配置された第１および第２のディスプレイと、周囲の他のユーザに向けて配置された第３のディスプレイとを有してもよい。この場合、例えば第１のディスプレイにコンテンツを表示し、第２および第３のディスプレイの両方にプロモーション情報を表示してもよい。このとき、例えば第２のディスプレイには広告情報が表示され、第３のディスプレイにはコンテンツの表紙画像が表示される、といったように、それぞれのディスプレイに異なる種類のプロモーション画像が表示されてもよい。また、第２および第３のディスプレイを選択的に用いて、いずれか一方にプロモーション情報を表示してもよい。
【００７５】
また、上記の説明では、コンテンツが主として静止画の電子書籍コンテンツである実施形態について説明した。しかし、上述したように、コンテンツは動画コンテンツなどであってもよい。本開示の実施形態は、コンテンツが静止画であるか動画であるか、またはこれらが混在しているかに関わらず適用可能である。例えば動画コンテンツの場合、フリー広告情報は、コンテンツに付随するメタ情報によって示される属性や内容をキーワードにして検索されてもよい。
【００７６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００７７】
なお、以下のような構成も本開示の技術的範囲に属する。
（１）コンテンツを取得するコンテンツ取得部と、
前記コンテンツを表示する第１の表示部と、
前記コンテンツに関連するプロモーション情報を取得するプロモーション情報取得部と、
前記プロモーション情報を表示する第２の表示部と、
を備える情報処理装置。
（２）前記コンテンツ取得部は、さらに、前記コンテンツに付随するメタ情報を取得し、
前記プロモーション情報取得部は、前記メタ情報に従って前記プロモーション情報を取得する、前記（１）に記載の情報処理装置。
（３）前記プロモーション情報は、広告情報であり、
前記メタ情報は、前記広告情報の取得元を指定する第１のメタ情報を含み、
前記プロモーション情報取得部は、前記第１のメタ情報に従って前記取得元から前記広告情報を取得する、前記（２）に記載の情報処理装置。
（４）前記プロモーション情報は、広告情報であり、
前記メタ情報は、前記広告情報の自由検索を許容する第２のメタ情報を含み、
前記プロモーション情報取得部は、前記第２のメタ情報に従って前記コンテンツの内容に基づいて前記広告情報を検索する、前記（２）または（３）に記載の情報処理装置。
（５）前記第１の表示部および前記第２の表示部は、前記情報処理装置のユーザに向けて配置される、前記（１）〜（４）のいずれか１項に記載の情報処理装置。
（６）前記第１の表示部は、前記情報処理装置のユーザに向けて配置され、
前記第２の表示部は、前記情報処理装置のユーザの周囲の他のユーザに向けて配置される、前記（１）〜（４）のいずれか１項に記載の情報処理装置。
（７）前記プロモーション情報は、前記コンテンツを表す情報である、前記（６）に記載の情報処理装置。
（８）前記コンテンツは、電子書籍であり、
前記プロモーション情報は、前記電子書籍の表紙画像である、前記（７）に記載の情報処理装置。
（９）前記コンテンツは、顧客データであり、
前記プロモーション情報は、前記顧客を識別する情報である、前記（７）に記載の情報処理装置。
（１０）前記第２の表示部は、前記第１の表示部よりも消費電力が少ない方式の表示部である、前記（１）〜（９）のいずれか１項に記載の情報処理装置。
（１１）コンテンツを取得する機能と、
前記コンテンツを第１の表示部に表示させる機能と、
前記コンテンツに関連するプロモーション情報を取得する機能と、
前記プロモーション情報を第２の表示部に表示させる機能と
をコンピュータに実現させるプログラム。
（１２）前記コンテンツを取得する機能は、さらに、前記コンテンツに付随するメタ情報を取得し、
前記プロモーション情報を取得する機能は、前記メタ情報に従って前記プロモーション情報を取得する、前記（１１）に記載のプログラム。
（１３）前記プロモーション情報は、広告情報であり、
前記メタ情報は、前記広告情報の取得元を指定する第１のメタ情報を含み、
前記プロモーション情報を取得する機能は、前記第１のメタ情報に従って前記取得元から前記広告情報を取得する、前記（１２）に記載のプログラム。
（１４）前記プロモーション情報は、広告情報であり、
前記メタ情報は、前記広告情報の自由検索を許容する第２のメタ情報を含み、
前記プロモーション情報を取得する機能は、前記第２のメタ情報に従って前記コンテンツの内容に基づいて前記広告情報を検索する、前記（１２）または（１３）に記載のプログラム。
【符号の説明】
【００７８】
１００，２００，３００    情報処理装置
１１０    コンテンツ取得部
１２０    第１の表示部
１３０    情報取得部
３３０    背面ラベル取得部
１４０，３４０    第２の表示部
１２０１    コンテンツ
３２０１    顧客データ
１４０１    指定広告情報
１４０３    フリー広告情報
１４０５    ２次元コード
１４０７    表紙画像
３４０１    背面ラベル情報
【図１】
2013080713.tif 000003
【図２】
2013080713.tif 000004
【図３】
2013080713.tif 000005
【図４】
2013080713.tif 000006
【図５】
2013080713.tif 000007
【図６】
2013080713.tif 000008
【図７】
2013080713.tif 000009
【図８】
2013080713.tif 000010
【図９】
2013080713.tif 000011
【図１０】
2013080713.tif 000012
【国際調査報告】
2013080713.tif 000013
2013080713.tif 000014
2013080713.tif 000015
2013080713.tif 000016